(57)【要約】【課題】より精度高くモードの判別を行い、その結果をスケーラへ出力することが可能な表示装置を提供する。【解決手段】映像信号は同期分離部１６へ入力され、映像信号から水平同期信号及び垂直同期信号を分離する。同期分離部１６により分離された水平同期信号及び垂直同期信号は第１モード判別部１７へ入力される。第１モード判別部１７は水平同期信号及び垂直同期信号に基づき、映像信号のモードを判別する。同期分離部１６により分離された水平同期信号及び垂直同期信号はスケーラ１３に設けられる第２モード判別部１３２へも入力される。第２モード判別部１３２は水平同期信号及び垂直同期信号に基づき、映像信号のモードを判別する。第１モード判別部１７及び第２モード判別部１３２により判別されたモードが比較され、判別結果が一致した場合に、一致したモードがスケーラ１３へ出力される。【選択図】図１
2007235212.tif 000002
【特許請求の範囲】
【請求項１】
入力された映像信号のモードを判別し、判別したモードに応じた映像の表示を行う表示装置において、
映像信号から水平同期信号及び垂直同期信号を分離する同期分離部と、
該同期分離部により分離された水平同期信号及び垂直同期信号に基づき、映像信号のモードを判別する第１モード判別部と、
表示する画素数を変換するスケーラに設けられ、前記同期分離部により分離された水平同期信号及び垂直同期信号に基づき、映像信号のモードを判別する第２モード判別部と、
前記第１モード判別部及び前記第２モード判別部により判別されたモードを比較する比較手段と、
該比較手段により、モードが一致した場合に、該モードを前記スケーラへ出力する出力手段と
を備えることを特徴とする表示装置。
【請求項２】
前記比較手段によるモード一致後、所定時間経過した場合に、前記第２モード判別部へ、映像信号のモード判別の停止命令を出力する停止手段
をさらに備えることを特徴とする請求項１に記載の表示装置。
【請求項３】
前記同期分離部により分離された水平同期信号または垂直同期信号の周波数が所定以上変化した場合に、前記第２モード判別部へ、映像信号のモード判別の開始命令を出力する開始手段
をさらに備えることを特徴とする請求項２に記載の表示装置。
【請求項４】
映像信号の輝度レベルに応じてコントラストを調整するオートゲイン回路と、
該オートゲイン回路が動作した場合に、前記第２モード判別部へ、映像信号のモード判別の停止命令を出力する停止命令出力手段
をさらに備えることを特徴とする請求項１乃至３のいずれか一つに記載の表示装置。
【請求項５】
前記停止命令出力手段により、前記第２モード判別部による映像信号のモード判別が停止した場合、前記第１モード判別部により判別されたモードを前記スケーラへ出力する手段
をさらに備えることを特徴とする請求項４に記載の表示装置。
【請求項６】
入力された映像信号のモードを判別し、判別したモードに応じた映像の表示を行う表示装置において、
映像信号から水平同期信号及び垂直同期信号を分離する同期分離部と、
該同期分離部により分離された水平同期信号及び垂直同期信号の周波数を計数する第１計数部と、
表示する画素数を変換するスケーラに設けられ、前記同期分離部により分離された水平同期信号及び垂直同期信号の周波数を計数する第２計数部と、
前記第１計数部及び前記第２計数部により計数された周波数を比較する比較手段と、
該比較手段による周波数の差が所定範囲内となった場合に、前記周波数に基づき映像信号のモードを判別するモード判別手段と、
該モードを前記スケーラへ出力する出力手段と
を備えることを特徴とする表示装置。
【請求項７】
前記第１計数部は計数した周波数に基づき、映像信号の極性及びインターレース方式またはプログレッシブ方式のいずれの方式かを判別するよう構成してあり、
前記第２計数部は計数した周波数に基づき、映像信号の極性及びインターレース方式またはプログレッシブ方式のいずれの方式かを判別するよう構成してあり、
前記比較手段は、前記第１計数部及び前記第２計数部により計数された周波数、判別された極性または方式を比較するよう構成してあり、
前記モード判別手段は、前記比較手段による周波数の差が所定範囲内となった場合、極性が一致した場合、または、方式が一致した場合に、前記周波数に基づき映像信号のモードを判別するよう構成してあることを特徴とする請求項６に記載の表示装置。
【発明の詳細な説明】
【技術分野】
【０００１】
本発明は、入力された映像信号のモードを判別し、判別したモードに応じた映像の表示を行う表示装置に関する。
【背景技術】
【０００２】
液晶ディスプレイまたはプラズマディスプレイ等のディスプレイ装置にはＤＶＤ（Digital Versatile Disc）プレーヤ、ＴＶチューナまたはパーソナルコンピュータ等、多様な装置が接続されると共に多種類の映像信号が入力される。ディスプレイ装置は映像信号の種類を判別し、最適な映像が得られるよう各種処理を行う画像信号処理装置を内蔵している。
【０００３】
映像信号には、多様な種類がある。例えば、走査方式には、飛び越し（インターレース）方式と順次（プログレッシブ）方式があり、また、走査線数には、米国や我国の採用するＮＴＳＣ（National Television System Committee）方式の５２５本の他に、ヨーロッパのＰＡＬ（Phase Alternating （by） Line）方式やＳＥＣＡＭ（SEquential Couleur A Memoire）方式の６２５本があり、またＨＤＴＶ（High Definition TeleVision）の映像信号の走査線数は、１１２５本である。このように多様な放送形式がとられているため、表示装置は、複数の映像信号のモードを判別して、その信号に合わせた処理を行って表示する（例えば特許文献１参照）。
【０００４】
表示装置には、その画面サイズに適した画素数へ変換するスケーラが設けられている。このスケーラは、入力された映像信号の内容から縦と横の画素数を判定し、表示装置の出力画素数のアスペクト比に対して入力映像が最適表示になるよう自動でスケーリングを行なう（例えば特許文献２）。このスケーラには、入力される映像信号の水平同期信号及び垂直同期信号の周波数からモードの判別を行う判別回路が組み込まれ、この判別したモードに応じて上述したスケーリング処理が行われる。
【０００５】
このスケーラに一体的に設けられる判別回路へ入力される信号が不安定な場合、例えばパーソナルコンピュータからの入力信号の場合、モードの判別に失敗することが多く適切な映像が表示装置に表示されないという問題があった。そのため、スケーラの判別回路前段にアナログ信号の同期分離回路を設け、この同期分離回路において映像信号を水平同期信号及び垂直同期信号に分離すると共に、これらを安定化させた上で判別回路に入力する構成としていた。
【特許文献１】特開２００３−２３４９７６号公報
【特許文献２】特開２００５−３２８４８１号公報
【発明の開示】
【発明が解決しようとする課題】
【０００６】
しかしながら、同期分離回路により水平同期信号及び垂直同期信号を変形させ、安定化させた上でスケーラ内の判別回路へ、これらの信号を入力させたとしても依然としてモード判別の精度に問題があった。
【０００７】
また、従来、映像信号のレベルに応じてコントラストを自動調整するオートゲイン回路が用いられており、この調整後の映像信号がスケーラへ入力される。スケーラは映像信号の横方向の画素数をカウントし、その画素数に応じてスケーリング処理を行うところ、オートゲイン回路による輝度レベルの変更により、その画素数のカウントに誤りが生じるという問題もあった。例えば、映像信号の輝度が低い場合、オートゲイン回路により、黒部分の画素について輝度が加算され、横方向の画素数がオートゲイン回路による処理前と比較して増加することになる。このカウントの誤りにより、サンプリングクロック数に変化が生じ、映像の横位置のずれ、横方向の伸び、または縦縞の発生等の問題が発生する。
【０００８】
本発明は斯かる事情に鑑みてなされたものであり、その目的は、映像信号のモードを判別する第１モード判別部をスケーラ前段に設け、第１モード判別部及びスケーラ内の第２モード判別部により判別されるモードを比較し、その比較結果に応じてモードをスケーラへ出力することにより、より精度高くモードの判別を行い、その結果をスケーラへ出力することが可能な表示装置を提供することにある。
【０００９】
また、本発明の他の目的は、オートゲイン回路が動作した場合に、第２モード判別部による判別を停止し、第１モード判別部によるモード判別のみを実行することにより、オートゲイン回路による影響を排除することが可能な表示装置を提供することにある。
【００１０】
また、本発明の他の目的は、水平同期信号及び垂直同期信号の周波数を第１計数部及び第２計数部にて計数して比較し、比較した周波数の差が所定範囲内となった場合に、モードを判別してスケーラへ出力することにより、より精度高く、映像信号を処理することが可能な表示装置を提供することにある。
【課題を解決するための手段】
【００１１】
本発明に係る表示装置は、入力された映像信号のモードを判別し、判別したモードに応じた映像の表示を行う表示装置において、映像信号から水平同期信号及び垂直同期信号を分離する同期分離部と、該同期分離部により分離された水平同期信号及び垂直同期信号に基づき、映像信号のモードを判別する第１モード判別部と、表示する画素数を変換するスケーラに設けられ、前記同期分離部により分離された水平同期信号及び垂直同期信号に基づき、映像信号のモードを判別する第２モード判別部と、前記第１モード判別部及び前記第２モード判別部により判別されたモードを比較する比較手段と、該比較手段により、モードが一致した場合に、該モードを前記スケーラへ出力する出力手段とを備えることを特徴とする。
【００１２】
本発明に係る表示装置は、前記比較手段によるモード一致後、所定時間経過した場合に、前記第２モード判別部へ、映像信号のモード判別の停止命令を出力する停止手段をさらに備えることを特徴とする。
【００１３】
本発明に係る表示装置は、前記同期分離部により分離された水平同期信号または垂直同期信号の周波数が所定以上変化した場合に、前記第２モード判別部へ、映像信号のモード判別の開始命令を出力する開始手段をさらに備えることを特徴とする。
【００１４】
本発明に係る表示装置は、映像信号の輝度レベルに応じてコントラストを調整するオートゲイン回路と、該オートゲイン回路が動作した場合に、前記第２モード判別部へ、映像信号のモード判別の停止命令を出力する停止命令出力手段をさらに備えることを特徴とする。
【００１５】
本発明に係る表示装置は、前記停止命令出力手段により、前記第２モード判別部による映像信号のモード判別が停止した場合、前記第１モード判別部により判別されたモードを前記スケーラへ出力する手段をさらに備えることを特徴とする。
【００１６】
本発明に係る表示装置は、入力された映像信号のモードを判別し、判別したモードに応じた映像の表示を行う表示装置において、映像信号から水平同期信号及び垂直同期信号を分離する同期分離部と、該同期分離部により分離された水平同期信号及び垂直同期信号の周波数を計数する第１計数部と、表示する画素数を変換するスケーラに設けられ、前記同期分離部により分離された水平同期信号及び垂直同期信号の周波数を計数する第２計数部と、前記第１計数部及び前記第２計数部により計数された周波数を比較する比較手段と、該比較手段による周波数の差が所定範囲内となった場合に、前記周波数に基づき映像信号のモードを判別するモード判別手段と、該モードを前記スケーラへ出力する出力手段とを備えることを特徴とする。
【００１７】
本発明に係る表示装置は、前記第１計数部は計数した周波数に基づき、映像信号の極性及びインターレース方式またはプログレッシブ方式のいずれの方式かを判別するよう構成してあり、前記第２計数部は計数した周波数に基づき、映像信号の極性及びインターレース方式またはプログレッシブ方式のいずれの方式かを判別するよう構成してあり、前記比較手段は、前記第１計数部及び前記第２計数部により計数された周波数、判別された極性または方式を比較するよう構成してあり、前記モード判別手段は、前記比較手段による周波数の差が所定範囲内となった場合、極性が一致した場合、または、方式が一致した場合に、前記周波数に基づき映像信号のモードを判別するよう構成してあることを特徴とする。
【００１８】
本発明にあっては、表示装置は入力された映像信号のモードを判別し、判別したモードに応じた映像の表示を行う。映像信号は同期分離部へ入力され、映像信号から水平同期信号及び垂直同期信号を分離する。同期分離部により分離された水平同期信号及び垂直同期信号は第１モード判別部へ入力される。第１モード判別部は水平同期信号及び垂直同期信号に基づき、映像信号のモードを判別する。同期分離部により分離された水平同期信号及び垂直同期信号はスケーラに設けられる第２モード判別部へも入力される。第２モード判別部は水平同期信号及び垂直同期信号に基づき、映像信号のモードを判別する。第１モード判別部及び第２モード判別部により判別されたモードは比較手段において比較され、両判別部による判別結果が一致した場合に、一致したモードをスケーラへ出力するよう構成したので、より精度高くモード判別が行え、スケーラも適切にスケーリングを実行することが可能となる。
【００１９】
本発明にあっては、比較手段によるモード一致後、所定時間経過した場合に、第２モード判別部へ、映像信号のモード判別の停止命令を出力するよう構成したので、映像信号が安定した後は、第１モード判別部によるモード判別が実行される。
【００２０】
本発明にあっては、同期分離部により分離された水平同期信号または垂直同期信号の周波数が所定以上変化した場合に、第２モード判別部へ、映像信号のモード判別の開始命令を出力する。すなわち、第１モード判別部によるモード判別が実行されている場合に、映像信号の変化があった場合、再び第１モード判別部及び第２モード判別部による判別が実行される。
【００２１】
本発明にあっては、映像信号の輝度レベルに応じてコントラストを調整するオートゲイン回路が動作した場合に、第２モード判別部へ、映像信号のモード判別の停止命令を出力するよう構成したので、オートゲイン回路の動作に伴うモード判別の誤りを防止することが可能となる。
【００２２】
本発明にあっては、第２モード判別部による映像信号のモード判別が停止する場合、第１モード判別部により判別されるモードをスケーラへ出力する構成としたので、オートゲイン回路が動作している場合でも、第１モード判別部によりモードの判別が実行され、その結果がスケーラへ出力される。
【００２３】
本発明にあっては、同期分離部により分離された水平同期信号及び垂直同期信号の周波数を第１計数部により計数し、また、スケーラに設けられる第２計数部により、同期分離部によって分離された水平同期信号及び垂直同期信号の周波数を計数する。そして、第１計数部及び第２計数部により計数される周波数を比較し、周波数の差が所定範囲内となった場合に、この周波数に基づき映像信号のモードを判別する。そして、このモードをスケーラへ出力するよう構成したので、映像信号が不安定な場合でも精度良くモードを判別することが可能となる。
【００２４】
本発明にあっては、第１計数部及び第２計数部はそれぞれ計数した周波数に基づき、映像信号の極性及びインターレース方式またはプログレッシブ方式のいずれの方式かを判別する。また比較手段は、第１計数部及び前記第２計数部により計数される周波数、判別される極性または方式を比較する。そして比較手段による周波数の差が所定範囲内となった場合、極性が一致した場合、または、方式が一致した場合に、当該周波数に基づき映像信号のモードを判別する。このように構成したので、周波数、極性または方式の一致または不一致により映像信号が正しく認識されているかを判別できる。
【発明の効果】
【００２５】
本発明にあっては、第１モード判別部及び前記第２モード判別部により判別されたモードは比較手段において比較され、両判別部による判別結果が一致した場合に、一致したモードをスケーラへ出力するよう構成したので、より精度高くモード判別が行え、スケーラも適切にスケーリングを実行することが可能となる。
【００２６】
本発明にあっては、比較手段によるモード一致後、所定時間経過した場合に、第２モード判別部へ、映像信号のモード判別の停止命令を出力するよう構成したので、映像信号が安定した後は、第１モード判別部によるモード判別のみが実行され処理負担を低減することが可能となる。
【００２７】
本発明にあっては、同期分離部により分離された水平同期信号または垂直同期信号の周波数が所定以上変化した場合に、第２モード判別部へ、映像信号のモード判別の開始命令を出力する。すなわち、第１モード判別部によるモード判別が実行されている場合に、映像信号の変化があった場合、再び第１モード判別部及び第２モード判別部による判別画実行される。これにより、映像信号が不安定となった場合でもより第１モード判別部及び第２モード判別部の相互作用により精度良く、モードの判別を実行することが可能となる。
【００２８】
本発明にあっては、映像信号の輝度レベルに応じてコントラストを調整するオートゲイン回路が動作した場合に、第２モード判別部へ、映像信号のモード判別の停止命令を出力するよう構成したので、オートゲイン回路の動作に伴うモード判別の誤りを防止することが可能となる。
【００２９】
本発明にあっては、第２モード判別部による映像信号のモード判別が停止する場合、第１モード判別部により判別されるモードをスケーラへ出力する構成としたので、オートゲイン回路が動作している場合でも、第１モード判別部によりモードの判別が実行され、その結果がスケーラへ出力される。その結果、オートゲイン回路によるコントラストが調整され、しかも最適なモードが判別される。
【００３０】
本発明にあっては、同期分離部により分離された水平同期信号及び垂直同期信号の周波数を第１計数部により計数し、さらに第２計数部により、同期分離部により分離された水平同期信号及び垂直同期信号の周波数を計数する。そして、第１計数部及び第２計数部により計数される周波数を比較し、周波数の差が所定範囲内となった場合に、この周波数に基づき映像信号のモードを判別し、当該モードをスケーラへ出力するよう構成したので、映像信号が不安定な場合でも精度良くモードを判別でき、最適なサイズの映像を表示することが可能となる。
【００３１】
本発明にあっては、比較手段において、第１計数部及び前記第２計数部により計数される周波数、判別される極性または方式を比較し、周波数の差が所定範囲内となった場合、極性が一致した場合、または、方式が一致した場合に、当該周波数に基づき映像信号のモードを判別するので、周波数、極性または方式の一致または不一致により映像信号が正しく認識されているかを判別でき、その結果モードを正しく判別でき適切な映像を表示することが可能となる等、本発明は優れた効果を奏する。
【発明を実施するための最良の形態】
【００３２】
実施の形態１
以下本発明の実施の形態を、図面を参照して説明する。図１は本発明に係る表示装置のハードウェア構成を示すブロック図である。図において１は表示装置であり、映像信号入力部１２、Ａ／Ｄ変換部１５、補正回路１１２、スケーラ１３、液晶パネル１４、同期分離部１６、制御部５、第１モード判別部１７及びクロック生成部１８を含んで構成される。また、スケーラ１３はスケーリング部１３１、Ｉ／Ｐ変換部１３３及び第２モード判別部１３２を含み、制御部５は、ＣＰＵ(Central Processing Unit)５１、メモリ５２、出力部５３及びバス５７を含んで構成される。なお、以下では本発明に係る表示装置１を、液晶パネル１４を備える液晶ディスプレイ装置に適用する例を説明するが、プラズマディスプレイ装置またはプロジェクタ等他の表示装置に適用しても良い。
【００３３】
映像信号入力部１２には、映像信号を出力するＤＶＤプレーヤ、ハイビジョンＴＶチューナ、地上波アナログチューナ、またはパーソナルコンピュータ（いずれも図示せず）等が接続される。映像信号入力部１２は、Ａ／Ｄ変換部１５及び同期分離部１６に接続される。Ａ／Ｄ変換部１５へ入力された映像信号は、アナログ／デジタル変換が行われ、変換後の映像信号はスケーラ１３へ出力される。同期分離部１６は、映像信号から同期信号を分離するためのもので、分離された同期信号は、第１モード判別部１７、クロック生成部１８及び第２モード判別部１３２へ入力される。
【００３４】
第１モード判別部１７では、同期信号によって映像信号の種類を判別し、その判別結果を、制御部５へ出力する。具体的には同期分離部１６から水平同期信号及び垂直同期信号が第１モード判別部１７へ入力される。クロック生成部１８は内部のクロック信号よって水平同期信号の１周期をカウントする。これにより水平同期信号の周波数を読み取る。さらに垂直同期信号を水平同期信号でカウントすることにより垂直同期信号の周波数を読み取る。
【００３５】
第１モード判別部１７はさらに極性、及び、インターレース方式の信号かプログレッシブ方式の信号かにつき判別する。同期信号極性については水平同期信号及び垂直同期信号それぞれの極性により判別する。また、インターレース方式の信号かプログレッシブ方式の信号かについては、水平同期信号及び垂直同期信号それぞれのタイミングから判別する。第１モード判別部１７はこのようにして、各モード、例えば、５２５ｉ、５２５ｐ、１０８０ｉまたは１０８０ｐ等の映像信号のモードを判別する。なお、ｉはインターレース方式、ｐはプログレッシブ方式であることを示し、左の数字は走査線数を示す。第１モード判別部１７は、内部に周波数等に対応させて複数のモードを記憶したテーブル（図示せず）を備え、カウントした周波数及び該テーブルを参照して入力モードを判定する。判別結果は制御部５へ出力される。
【００３６】
スケーラ１３は、各種の映像信号のフォーマットを液晶パネル１４で表示することが可能な画素数に変換する回路であり、ピクセルコンバータまたは解像度変換ＬＳＩ等とも呼ばれる。スケーラ１３には、モードの判別を行うＩＣ（Integrated Circuit）である第２モード判別部１３２、スケーリングを行うＩＣであるスケーリング部１３１及びインターレース方式の映像信号をプログレッシブ方式へ変換するＩＣであるＩ／Ｐ変換部１３３が組み込まれている。第２モード判別部１３２は第１モード判別部１７と同様の処理により、モードの判別を行う。第２モード判別部１３２は同期分離部１６により分離された水平同期信号及び垂直同期信号の周波数をカウントし、内部の図示しないテーブルを参照して映像信号のモードを判別する。この判別されたモードは制御部５へ出力される。なお、第２モード判別部１３２も極性、及び、インターレース方式の信号かプログレッシブ方式の信号かを判別する。
【００３７】
Ａ／Ｄ変換部１５から出力される映像信号はＩ／Ｐ変換部１３３においてインターレース方式からプログレッシブ方式へ変換される。なお、Ｉ／Ｐ変換部１３３は、２・３プルダウン回路または２・２プルダウン回路等が用いられる。また、制御部５により最終的になされたモード判別によって入力信号がプログレッシブ方式であると判断された場合は、Ｉ／Ｐ変換部１３３はプログレッシブ変換を実行しない。Ｉ／Ｐ変換部１３３から出力される映像信号はスケーリング部１３１へ出力される。
【００３８】
スケーリング部１３１は、Ａ／Ｄ変換部１５から出力される映像信号の内容から縦と横の画素数を判定（アスペクト比の判定）し、液晶パネル１４の出力画素数のアスペクト比に対して映像が最適表示になるよう（例えば真円率＝１で、映像のアスペクト比を保ったままその映像エリアが出力映像に対して最大になるように）自動でスケーリングを行なう。
【００３９】
また例えばスケーリング部１３１は、アスペクト比４：３のＤＶＤ映像を、出力画素数のアスペクト比が１６：９の液晶パネル１４に表示する際、液晶パネル１４の出力画素数に比してＤＶＤ映像の画素数が少ない場合に、４：３のアスペクト比を保つように（真円を保つように）ＤＶＤ映像の画素数を補間すべく画素データを生成する。逆に、液晶パネル１４の出力画素数に比してＤＶＤ映像の画素数が縦、横の少なくとも一方が多い場合、ＤＶＤ映像の画素数を減少させる。
【００４０】
スケーラ１３から出力されるＲＧＢの映像信号は補正回路１１２へ出力される。補正回路１１２はユーザにより設定された設定値に従い色、彩度または色の濃さ等の補正を行った上でＲＧＢ信号を液晶パネル１４へ出力する。
【００４１】
制御部５のＣＰＵ５１には、バス５７を介してメモリ５２及び出力部５３が接続されている。メモリ５２はＣＰＵ５１により実行される演算処理用のデータを格納すると共に、各ソフトウェア処理を行うプログラムを記憶している。ＣＰＵ５１はメモリ５２に記憶されロードされたプログラムに従い各処理を実行する。第１モード判別部１７及び第２モード判別部１３２により判別されたモードは制御部５へ出力される。ＣＰＵ５１は第１モード判別部１７によるモードと第２モード判別部１３２によるモードとを比較し、これらが一致するまで、すなわち映像信号が安定するまで待機し、一致した場合は一致したモードを、出力部５３を介してスケーラ１３へ出力する。スケーラ１３のスケーリング部１３１及びＩ／Ｐ変換部１３３は出力されたモードに従い各処理を実行する。
【００４２】
また、ＣＰＵ５１は、第１モード判別部１７及び第２モード判別部１３２から出力されるモードが一致し、その後一定時間経過した後は第２モード判別部１３２へモード判別を停止する旨の信号を、出力部５３を介して出力し、第１モード判別部１７によるモード判別結果をスケーラ１３へ出力する。さらに、その後同期分離部１６から出力される垂直同期信号または水平同期信号の周波数が所定以上変化した場合、すなわち異なる映像信号が入力された場合、または映像信号が不安定となった場合等は、ＣＰＵ５１は第２モード判別部１３２に対し映像信号のモード判別の開始命令を、出力部５３を介して出力する。そして再び第１モード判別部１７及び第２モード判別部１３２によるモード判別が実行される。
【００４３】
以上のハードウェア構成において映像信号のモード判別処理の手順を、フローチャートを用いて説明する。図２は制御部５によるモード判別処理の手順を示すフローチャートである。ＣＰＵ５１は第１モード判別部１７により判別されたモードの入力を受け付け（ステップＳ２１）、また第２モード判別部１３２により判別されたモードの入力を受け付ける（ステップＳ２２）。ＣＰＵ５１は受け付けた両モードを比較して、両モードが一致するか否かを判断する（ステップＳ２３）。ＣＰＵ５１は両モードが一致しないと判断した場合（ステップＳ２３でＮＯ）、図示しない計時手段を利用して所定時間が経過するまで待機する（ステップＳ２４）。これは例えば数秒待機し、映像信号の安定を待って、再度ステップＳ２１へ移行し以上の処理を繰り返す。
【００４４】
ＣＰＵ５１は両モードが一致すると判断した場合（ステップＳ２３でＹＥＳ）、当該一致したモードを、出力部５３を介してスケーラ１３へ出力する（ステップＳ２５）。ＣＰＵ５１はさらに所定時間を経過したか否かを判断する（ステップＳ２６）。ＣＰＵ５１は所定時間を経過していないと判断した場合（ステップＳ２６でＮＯ）、ステップＳ２１へ移行し以上の処理を繰り返し実行する。一方、ＣＰＵ５１は所定時間を経過したと判断した場合（ステップＳ２６でＹＥＳ）、第２モード判別部１３２へ、モード判別を停止させるべく、停止命令を出力し、第１モード判別部１７により判別されたモードをスケーラ１３へ出力する（ステップＳ２７）。第２モード判別部１３２はＣＰＵ５１から停止命令の入力を受け付けた場合、モード判別処理を終了し、ＣＰＵ５１へ出力していた判別結果であるモードの出力を停止する。
【００４５】
さらにその後、水平同期信号及び垂直同期信号の周波数を計数する第１モード判別部１７から、計数した周波数がＣＰＵ５１へ出力され、ＣＰＵ５１は出力される周波数が所定以上変化したか否かを判断する（ステップＳ２８）。ＣＰＵ５１は、周波数が所定以上変化していないと判断した場合（ステップＳ２８でＮＯ）、映像信号は引き続き安定しているものと判断しステップＳ２７へ移行する。一方、ＣＰＵ５１は周波数が所定以上変化したと判断した場合（ステップＳ２８でＹＥＳ）、映像信号が不安定となったか、異なる映像信号が入力されたかまたは入力映像信号が停止された可能性があることから、映像信号入力部１２からの映像信号が非入力であるか否かを判断する（ステップＳ２９）。これは第１モード判別部１７から出力される周波数により判断すればよい。
【００４６】
ＣＰＵ５１は映像信号が非入力であると判断した場合（ステップＳ２９でＹＥＳ）、処理を終了する。一方、ＣＰＵ５１は引き続き信号が入力されていると判断した場合（ステップＳ２９でＮＯ）、第２モード判別部１３２に対し、再びモードの判別を開始するよう開始命令を出力する（ステップＳ２１０）。そして、ステップＳ２１へ移行し、第１モード判別部１７及び第２モード判別部１３２によるモード判別が行われる。
【００４７】
実施の形態２
図３は実施の形態２に係る表示装置１のハードウェア構成を示すブロック図である。図に示すようにＡ／Ｄ変換部１５後段にはオートゲイン回路１９が接続される。オートゲイン回路１９はＡ／Ｄ変換部１５によりデジタル化された映像信号の輝度レベルに応じて、コントラストを自動調整する。調整後の映像信号はスケーラ１３へ入力され、オートゲイン回路１９が動作したか否かの信号は制御部５へ出力される。オートゲイン回路１９は、映像信号の輝度が低い場合、輝度レベルを所定値加算する処理を行う。また、映像信号の輝度が高い場合は、オートオフセット機能が動作し、輝度レベルを所定値減算する処理を行う。
【００４８】
制御部５のＣＰＵ５１はオートゲイン回路１９が動作したと判断した場合、第２モード判別部１３２に対し、モード判別を停止するよう停止命令を、出力部５３を介して出力する。この場合、第１モード判別部１７によるモード判別が実行され、判別されたモードがスケーラ１３へ出力される。
【００４９】
図４は実施の形態２に係る制御部５によるモード判別処理の手順を示すフローチャートである。制御部５のＣＰＵ５１はオートゲイン回路１９によるコントラスト調整機能が動作したか否かを判断する（ステップＳ４１）。これはＣＰＵ５１がオートゲイン回路１９からコントラスト調整機能が動作した旨の信号を受け付けて判断する他、映像信号横方向の輝度レベルを監視しておき、横方向全体の輝度レベルが所定値以上加算または減算されたと判断した場合に、オートゲイン回路１９のコントラスト調整機能が動作したと判断すればよい。
【００５０】
ＣＰＵ５１はオートゲイン回路１９が動作したと判断した場合（ステップＳ４１でＹＥＳ）、第１モード判別部１７において判別されたモードの入力を受け付ける（ステップＳ４２）。またＣＰＵ５１は第２モード判別部１３２に対し、モードの判別を停止する旨の停止命令信号を、出力部５３を介して出力する（ステップＳ４３）。ＣＰＵ５１は第１モード判別部１７により判別されたモードをスケーラ１３へ出力する（ステップＳ４４）。
【００５１】
一方、オートゲイン回路１９が動作していないとＣＰＵ５１が判断した場合（ステップＳ４１でＮＯ）、ＣＰＵ５１は第１モード判別部１７により判別されたモードの入力を受け付け（ステップＳ４５）、また第２モード判別部１３２により判別されたモードの入力を受け付ける（ステップＳ４６）。ＣＰＵ５１は受け付けた両モードを比較して、両モードが一致するか否かを判断する（ステップＳ４７）。ＣＰＵ５１は両モードが一致しないと判断した場合（ステップＳ４７でＮＯ）、所定時間が経過するまで待機する（ステップＳ４８）。その後再びステップＳ４５へ移行し以上の処理を繰り返す。
【００５２】
ＣＰＵ５１は両モードが一致すると判断した場合（ステップＳ４７でＹＥＳ）、当該一致したモードを、出力部５３を介してスケーラ１３へ出力する（ステップＳ４９）。
【００５３】
本実施の形態２は以上の如き構成としてあり、その他の構成及び作用は実施の形態１と同様であるので、対応する部分には同一の参照番号を付してその詳細な説明を省略する。
【００５４】
実施の形態３
図５は実施の形態３に係る表示装置１のハードウェア構成を示すブロック図である。図５に示すように実施の形態１の第１モード判別部１７に代えて第１計数部１７、及び第２モード判別部１３２に代えて第２計数部１３２がそれぞれ設けられる。第１計数部１７へは、同期分離部１６により分離された水平同期信号及び垂直同期信号が入力される。第１計数部１７はこれら入力された水平同期信号及び垂直同期信号の周波数を計数する。また、極性、及び、映像信号がインターレース方式の信号かプログレッシブ方式の信号かにつき判別する。同期信号極性については水平同期信号及び垂直同期信号それぞれの極性により判別する。
【００５５】
また、インターレース方式の信号かプログレッシブ方式の信号かについては、水平同期信号及び垂直同期信号それぞれのタイミングから判別する。そして計数した水平同期信号及び垂直同期信号の周波数、極性、及び方式を判別手段である制御部５へ出力する。なお、制御部５へは、少なくとも水平同期信号の周波数、垂直同期信号の周波数、極性、または方式のいずれかを出力するようにしても良い。
【００５６】
第２計数部１３２も同様に、同期分離部１６から入力された水平同期信号及び垂直同期信号の周波数を計数し、極性、及び、映像信号がインターレース方式の信号かプログレッシブ方式の信号かにつき判別する。そして計数した水平同期信号及び垂直同期信号の周波数、極性、及び方式を判別手段である制御部５へ出力する。なお、制御部５へは、少なくとも水平同期信号の周波数、垂直同期信号の周波数、極性、または方式のいずれかを出力するようにしても良い。
【００５７】
制御部５は第１計数部１７から出力された水平同期信号の周波数、垂直同期信号の周波数、極性、または方式と、第２計数部１３２から出力された水平同期信号の周波数、垂直同期信号の周波数、極性、または方式をそれぞれ比較し、一致しない場合は、所定時間信号が安定するまで待機する。一方、一致する場合は、信号が安定していると判断し、水平同期信号及び垂直同期信号の周波数、極性、及び方式に基づき映像信号のモードを判別する。なお、制御部５のＣＰＵ５１は、第１計数部１７及び第２計数部１３２から出力される水平同期信号及び垂直同期信号の周波数、極性、及び方式の全てが一致するか否かを判別しても良い。またこの他、これらのうち少なくとも一つが一致するか否かを判断しても良い。
【００５８】
本実施の形態においては、ＣＰＵ５１は、極性及び方式を比較すると共に、第１計数部１７から出力される水平同期信号及び垂直同期信号の周波数と、第２計数部１３２から出力される水平同期信号及び垂直同期信号の周波数とを比較し、その比較の結果、水平同期信号の周波数の差及び垂直同期信号の周波数の差が所定範囲内であるか否かを判断する例について説明する。
【００５９】
図６は実施の形態３に係る制御部５によるモード判別処理の手順を示すフローチャートである。第１計数部１７は水平同期信号及び垂直同期信号の周波数を計数し、極性及び方式を判別する（ステップＳ６１）。第１計数部１７は計数した周波数、極性及び方式を制御部５へ出力する（ステップＳ６２）。制御部５のＣＰＵ５１はこの出力された周波数、極性及び方式を受け付け、メモリ５２に記憶する。
【００６０】
第２計数部１３２は水平同期信号及び垂直同期信号の周波数を計数し、極性及び方式を判別する（ステップＳ６３）。第２計数部１３２は計数した周波数、極性及び方式を制御部５へ出力する（ステップＳ６４）。制御部５のＣＰＵ５１はこの出力された周波数、極性及び方式を受け付け、メモリ５２に記憶する。ＣＰＵ５１はメモリ５２に記憶した双方の周波数、極性及び方式を読み出す。ＣＰＵ５１は第１計数部１７で判別した極性と第２計数部１３２で判別した極性とを比較し、これらが一致するか否かを判断する（ステップＳ６５）。
【００６１】
ＣＰＵ５１はこれらが一致すると判断した場合（ステップＳ６５でＹＥＳ）、第１計数部１７で判別した方式と第２計数部１３２で判別した方式とを比較し、これらが一致するか否かを判断する（ステップＳ６６）。ＣＰＵ５１はこれらが一致すると判断した場合（ステップＳ６６でＹＥＳ）、ＣＰＵ５１は第１計数部１７で計数した周波数と第２計数部１３２で計数した周波数とを比較し、これら周波数の差が所定範囲内であるか否かを判断する（ステップＳ６７）。この所定範囲は計数誤差の範囲を考慮して適宜の値とすればよく、予めメモリ５２にその値が記憶されている。
【００６２】
ＣＰＵ５１は、ステップＳ６５において極性が一致しない場合（ステップＳ６５でＮＯ）、ステップＳ６６において方式が一致しない場合（ステップＳ６６でＮＯ）、またはステップＳ６７において周波数の差が所定範囲内でないと判断した場合（ステップＳ６７でＮＯ）、映像信号が安定化するまで所定時間待機し（ステップＳ６８）、ステップＳ６１へ移行して以上の処理を繰り返す。
【００６３】
ステップＳ６７において周波数の差が所定範囲内であると判断した場合（ステップＳ６７でＹＥＳ）、第１計数部１７または第２計数部１３２から出力された周波数、極性及び方式から映像信号のモードを判別する（ステップＳ６９）。ＣＰＵ５１は判別したモードをスケーラ１３へ、出力部５３を介して出力する（ステップＳ６１０）。なお、上述したように極性、方式及び周波数の全てを比較する必要はなく、極性、方式、または周波数のいずれか一つによる比較、さらには極性及び方式の比較、極性及び周波数の比較、並びに極性及び周波数の比較等、ステップＳ６５乃至Ｓ６７の処理を適宜選択して実行すれば良い。
【００６４】
本実施の形態３は以上の如き構成としてあり、その他の構成及び作用は実施の形態１及び２と同様であるので、対応する部分には同一の参照番号を付してその詳細な説明を省略する。
【図面の簡単な説明】
【００６５】
【図１】本発明に係る表示装置のハードウェア構成を示すブロック図である。
【図２】制御部によるモード判別処理の手順を示すフローチャートである。
【図３】実施の形態２に係る表示装置のハードウェア構成を示すブロック図である。
【図４】実施の形態２に係る制御部によるモード判別処理の手順を示すフローチャートである。
【図５】実施の形態３に係る表示装置のハードウェア構成を示すブロック図である。
【図６】実施の形態３に係る制御部によるモード判別処理の手順を示すフローチャートである。
【符号の説明】
【００６６】
１      表示装置
５      制御部（モード判別手段）
１２    映像信号入力部
１３    スケーラ
１４    液晶パネル
１６    同期分離部
１７    第１モード判別部（第１計数部）
１９    オートゲイン回路
５１    ＣＰＵ
５３    出力部（出力手段）
１１２  補正回路
１３１  スケーリング部
１３２  第２モード判別部（第２計数部）
１３３  Ｉ／Ｐ変換部
【図１】
2007235212.tif 000003
【図２】
2007235212.tif 000004
【図３】
2007235212.tif 000005
【図４】
2007235212.tif 000006
【図５】
2007235212.tif 000007
【図６】
2007235212.tif 000008